(57)【要約】      （修正有）【課題】簡易な構成で安価な回転制御装置を提供する。【解決手段】便座等の回転物体を固定連結する主回転軸と、従動ピンを有して軸心に固定される帯動回転軸と、便器本体等の固定物体に固定連結される固定回転軸とを利用する回転制御装置であって、前記各回転軸を前記軸心に順次挿接し、更に主回転軸の側面に設けられた環状スロットと定位板、及び固定回転軸の側面に設けられたガイドスロットを連動させることによって、モータが第一の力を軸心に供給した後、軸心によって帯動回転軸を帯動回転し、これにより当該回転物体を当該固定物体に対し第一の位置まで回転させる。【選択図】図２
0003119203.tif 000002
【実用新案登録請求の範囲】
【請求項１】
第一の力によって回転物体を固定物体に対して第一の位置まで回転させ、また、前記第一の力と反対方向の第二の力によって前記回転物体を固定物体に対して第二の位置まで回転させる回転制御装置であって、
軸心と、
前記軸心の端部に連結されて前記第一の力を供給するモータと、
主回転軸の軸穴によって前記軸心の一部に挿接され、外部は前記回転物体に固定連結される主回転軸であって、軸穴を有する側面には環状スロットを有し、前記環状スロット内には定位板が設けられている主回転軸と、
帯動回転軸の軸穴によって前記軸心の一部に挿接して固定連結され、更に前記主回転軸の前記環状スロットを有する側面に近接する一つ以上の帯動回転軸であって、一つ以上の穿孔部が前記帯動回転軸の軸穴のある第一側面から前記軸心方向に沿って軸穴のあるもう一つの側面である第二側面に伸びており、前記第一側面は前記主回転軸の前記環状スロットを有する側面に近接している帯動回転軸と、
膨張端と貫通端とを有する帯動ピンであって、前記帯動ピンの貫通端はバネと挿接し、前記帯動回転軸の第二側面の穿孔部から進入し、圧力を受けて前記帯動回転軸の第一側面から突出し、前記貫通端が前記帯動回転軸の第一側面の穿孔部から突出する時に、前記膨張端は前記穿孔部の周囲に接触して前記貫通端の前記穿孔部からの突出度合を制限し、前記バネの両端は前記膨張部及び前記穿孔部の周囲の双方向から力を受けて収縮し、更に前記貫通端を前記穿孔部に戻すような復元力を生み出す帯動ピンと、
前記固定物体に固定され、当該固定回転軸の軸穴によって前記軸心の一部と挿接し、更に前記帯動回転軸の第二側面に近接する一つ以上の固定回転軸であって、前記固定回転軸の、前記帯動回転軸の第二側面に近接している側面は、前記環状スロットに対応して円形に設けられたガイドスロットを有し、前記ガイドスロットは第一端及び第二端を有し、前記第一端は前記第一の位置に対応して設けられており、前記第一端は前記固定回転軸に対して比較的深く、前記第二端は比較的浅くなっており、両者の間では前記第二端から前記第一端に向かって連続的に徐々に深くなっている固定回転軸と、を具備し、
前記モータが前記第一の力を供給して前記軸心を回転させる時、
前記軸心は前記帯動回転軸を帯動して回転し、
前記帯動ピンは前記帯動回転軸の回転を受けて回転方向に移動し、
前記帯動ピンの膨張端は前記固定回転軸のガイドスロットの第一端から第二端へ移動し、前記ガイドスロットにより前記軸心の延長方向に供給される圧力を受けて、前記帯動ピンの貫通端を前記帯動回転軸の第一側面から突出させるとともに前記主回転軸の環状スロット内に進入させ、
また、前記帯動回転軸の回転方向に移動する貫通端は前記主回転軸の定位板を帯動して前記主回転軸を回転させ、更に前記回転物体を帯動して前記固定物体に対して回転させ、
前記帯動ピンの膨張端が前記第一端に戻った時には、
前記圧力は消失し、
前記帯動ピンは前記バネの復元力を受けて前記貫通端を前記穿孔部の内部に退行させ、
前記回転物体は前記第一の位置で回転を停止する、
ことを特徴とする、回転制御装置。
【請求項２】
前記回転物体は便座であり、前記固定物体は便器本体であることを特徴とする、請求項１に記載の回転制御装置。
【請求項３】
前記第一の位置は前記便座が完全に持ち上げられた位置であり、前記第二の位置は前記便座が前記便器本体にセットされた位置であることを特徴とする、請求項２に記載の回転制御装置。
【請求項４】
前記第二の力は使用者が前記便座に対して与える力であることを特徴とする、請求項３に記載の回転制御装置。
【請求項５】
前記回転制御装置は更にリセット機構を有し、
前記モータは更に動力軸を有し、
前記軸心の端部は動力軸穴を有し、
前記動力軸は前記動力軸穴に進入して前記モータを前記軸心の前記端部に連結させ、
前記リセット機構によって前記モータを軸心の延長方向に移動させ、前記動力軸を前記動力軸穴から離脱させることを特徴とする、請求項１に記載の回転制御装置。
【考案の詳細な説明】
【技術分野】
【０００１】
本考案は、回転制御装置に関し、特に便器本体上で便座を回転させる回転制御装置に関する。
【背景技術】
【０００２】
水洗便器は現代人の生活において欠くことのできない日常用品である。製品の自動化を前提とすると、水洗便器にモータを組み合わせて、モータから供給される動力により便座を自動的に便器本体から持ち上げる従来技術が存在する。
【０００３】
図１を参照する。図１は従来の技術であるモータを備えた水洗便器２を示す図である。水洗便器２は便座４及び便器本体６を有し、便座４は回転軸８に連結されている。回転軸８は軸穴により軸心１０に挿接且つ固定連結され、軸心１０の端部はモータ１２に連結されている。モータ１２から供給される動力によって、軸心１０に回転軸８を帯動して回転させ、それにより便座４を便器本体６上で開閉させる。
【０００４】
しかしながら、この場合には多くの問題が発生しうる。１．急いでトイレを使用したい場合、モータ１２による便器本体６上での便座４の開閉が緩慢なために、使用者は忍耐を強いられて大変な苦痛を感じる。２．便座４の開閉時に停電が起こった場合には、便座４は便器本体６と一定の角度にロックされ、結果として水洗便器２を使用することが全く不可能となる。３．便座４を所定位置まで開けるか閉めるかに関わらず、モータ１２が過度に回転することがあり得るため、伝動機構が過度の力を受けて損傷したり、モータ１２の寿命を縮めたりする可能性がある。
【０００５】
そのため、本考案の主な目的は、上記の問題を同時に解決するために、水洗便器に用いる回転制御装置を提供することである。
【考案の開示】
【０００６】
本考案の目的は、水洗便器に用いる回転制御装置によって、便座が回転制御装置の干渉を受けることなく、持ち上げられた状態から速やかに便器本体上にセットされるようにし、停電の場合にも、便座を開閉することができ、また、モータが過度に回転した場合にも、モータが回転を阻まれることにより損傷することなく、回転制御装置も過度の力を受けて損傷することのないようにすることである。
【０００７】
また、本考案の目的は更に、簡易な構成で回転制御装置を実現することにより、製造コストを抑えるとともに故障発生の可能性を減少させることである。
【０００８】
本考案は、水洗便器に用いる回転制御装置であって、水洗便器は便座と便器本体とを有する。回転制御装置は、便座等の回転物体に第一の力を与え、回転させることによって便器本体等の固定物体に対して第一の位置まで持ち上げる。前記便座は更に、前記便器本体の第二の位置に速やかに回転して閉めるように、外部からの第二の力を受けることも可能である。
【０００９】
前記回転制御装置は、軸心と、モータと、主回転軸と、一つ以上の帯動回転軸と、帯動ピンと、一つ以上の固定回転軸とを有する。
【００１０】
前記モータは前記軸心の端部に連結され、上記第一の力を供給する。
【００１１】
前記主回転軸は、前記主回転軸の軸穴によって前記軸心の一部に挿接され、外部は前記便座に固定連結されている。軸穴を有する側面には更に環状スロットを有し、前記環状スロット内には定位板が設けられている。
【００１２】
前記帯動回転軸は、前記帯動回転軸の軸穴によって前記軸心の一部に挿接して固定連結されており、前記帯動回転軸は更に前記主回転軸の前記環状スロットを有する側面に近接している。前記帯動回転軸には一つ以上の穿孔部が設けられており、前記の穿孔部は前記帯動回転軸の軸穴のある第一側面から、前記軸心方向に沿って軸穴のあるもう一つの側面である第二側面に伸びており、前記第一側面は前記主回転軸の前記環状スロットを有する側面に近接している。
【００１３】
前記帯動ピンは膨張端と貫通端とを有し、前記帯動ピンの貫通端はバネと挿接し、前記帯動回転軸の第二側面の穿孔部から進入し、圧力を受けて前記帯動回転軸の第一側面から突出する。ここで、前記貫通端が前記帯動回転軸の第一側面の穿孔部から突出する時、前記膨張端は前記穿孔部の周囲に接触して、前記貫通端の前記穿孔部からの突出度合を制限する。この時、前記バネの両端は前記膨張部及び前記穿孔部の周囲の双方向から力を受けて収縮し、更に前記貫通端を前記穿孔部に戻すような復元力を生み出す。
【００１４】
前記固定回転軸は便器本体に固定され、前記固定回転軸の軸穴によって前記軸心の一部に挿接されており、前記固定回転軸は更に前記帯動回転軸の第二側面に近接している。ここで、前記固定回転軸の、前記帯動回転軸の第二側面に近接している側面は、前記環状スロットに対応して円形に設けられたガイドスロットを有し、前記ガイドスロットは第一端及び第二端を有し、前記第一端は前記第一の位置に対応して設けられている。ここで前記第一端は前記固定回転軸に対して比較的深く、前記第二端は比較的浅くなっており、両者の間では前記第二端から前記第一端に向かって連続的に徐々に深くなっている。
【００１５】
ここで、前記モータが前記第一の力を供給して前記軸心を回転させる時、前記軸心は前記帯動回転軸を帯動して回転し、前記帯動ピンは前記帯動回転軸の回転を受けて回転方向に移動する。前記帯動ピンの膨張端は前記固定回転軸のガイドスロットの第一端から第二端へ移動し、前記ガイドスロットにより前記軸心の延長方向に供給される前記圧力を受けて前記帯動ピンの貫通端を前記帯動回転軸の第一側面から突出させ、前記主回転軸の環状スロット内に進入させる。また、前記帯動回転軸の回転方向に移動する貫通端は前記主回転軸の定位板を帯動して前記主回転軸を回転させ、更に前記便座を帯動して前記便器本体に対して回転させる。
【００１６】
前記帯動ピンの膨張端が前記第一端に戻った時には、前記圧力は消失し、前記帯動ピンは前記バネの復元力を受けて前記貫通端を前記穿孔部の内部に退行させ、前記便座は前記第一の位置で回転を停止する。
【００１７】
また、前記回転制御装置は更にリセット機構を有する。前記モータは更に動力軸を有し、前記軸心の端部は動力軸穴を有し、前記動力軸は前記動力軸穴に進入して、前記モータを前記軸心の前記端部に連結させる。ここで、前記リセット機構によって前記モータを軸心の延長方向に移動させ、前記動力軸を前記動力軸穴から離脱させる。
【００１８】
従って、本考案の水洗便器に用いる回転制御装置によれば、便座が回転制御装置の干渉を受けることなく、持ち上げられた状態から速やかに便器本体上にセットされる。停電の場合にも、便座を便器本体上で開閉することが可能である。また、モータが過度に回転した場合にも、モータが回転を阻まれることにより損傷することはなく、回転制御装置も過度の力を受けて損傷することはない。更に、本考案は簡易な構成で実現可能であるため、製造コストを抑えるとともに故障発生の可能性を減少させることができる。
【００１９】
本考案の優位性と思想については、以下に述べる考案の詳細な説明及び添付図面によって更に明確に理解することができる。
【考案を実施するための最良の形態】
【００２０】
図２を参照する。図２は、本考案の回転制御装置３０を示す図である。本考案は水洗便器３２に用いる回転制御装置３０に関し、水洗便器３２は便座（回転物体３２０２）と便器本体（固定物体３２０４）とを有する。
【００２１】
回転制御装置３０は、便座等の回転物体３２０２を、モータ４２により与えられる第一の力によって、便器本体等の固定物体３２０４に対して便座が完全に持ち上げられた位置である第一の位置まで回転させる。また、回転物体３２０２を前記第一の力と反対方向の第二の力によって、便器本体等の固定物体３２０４に対して第二の位置まで回転させる。ここで言う前記第二の力とは使用者が前記便座に加える力であり、前記第二の位置とは前記便座が前記便器本体にセットされる位置である。
【００２２】
本考案の便座はモータ４２の力によって持ち上げられると共に、人力によって便座を閉める。また、自動センサを組み合わせて、通常は便座を持ち上げた状態にしておき、便座を閉める場合にモータ４２の制限を受けることなく速やかにセットできるようにしても良く、かくして使用者は苦痛に耐えながらモータ４２の動作を待つ必要がなくなる。
【００２３】
回転制御装置３０は、軸心４０と、モータ４２と、主回転軸４４と、一つ以上の帯動回転軸４６と、帯動回転軸４６に対応して設けられた一つ以上の帯動ピン４８と、一つ以上の固定回転軸５２とを有する。上記主回転軸４４、帯動回転軸４６、固定回転軸５２のそれぞれは、各自の軸穴によって順次軸心４０に挿接され、好ましい実施の形態としては主回転軸４４の両端にそれぞれ一つずつ帯動回転軸４６及び固定回転軸５２が設けられる。また、一つの帯動回転軸４６内には、１個、２個、３個又は４個の帯動ピン４８が、実際の必要性に応じて変更可能に設けられる。
【００２４】
モータ４２には同期モータを用いることが可能で、軸心４０の端部に連結されて上記第一の力を供給する。
【００２５】
主回転軸４４は、主回転軸４４の軸穴によって軸心４０の一部に挿接され、外部は回転物体３２０２に固定連結されている。軸穴を有する側面には環状スロット４４０２を有し、環状スロット４４０２内には定位板４４０４が設けられている。
【００２６】
帯動回転軸４６は、帯動回転軸４６の軸穴によって軸心４０の一部に挿接して固定連結されており、帯動回転軸４６は更に主回転軸４４の環状スロット４４０２を有する側面に近接している。帯動回転軸４６には一つ以上の穿孔部４６０５が設けられており、穿孔部４６０５は帯動回転軸４６の軸穴のある第一側面４６０２から、軸心方向に沿って軸穴のあるもう一つの側面である第二側面４６０４に伸びており、換言すれば軸穴は第一側面４６０２から第二側面４６０４に向かって設けられ、穿孔部４６０５は軸穴と平行して、同様に第一側面４６０２から第二側面４６０４に向かって設けられている。ここで、第一側面４６０２は主回転軸４４の環状スロット４４０２を有する側面に近接している。
【００２７】
帯動ピン４８は膨張端４８０２と貫通端４８０４とを有する。帯動ピン４８の貫通端４８０４はバネ５０と挿接し、帯動回転軸４６の第二側面４６０４の穿孔部４６０５から進入し、圧力を受けて帯動回転軸４６の第一側面４６０２から突出する。ここで、貫通端４８０４が帯動回転軸４６の第一側面４６０２の穿孔部４６０５から突出する時、膨張端４８０２は穿孔部４６０５の周囲に接触して、貫通端４８０４の穿孔部４６０５からの突出度合を制限する。同時に、バネ５０の両端は膨張部４８０２及び穿孔部４６０５の周囲の双方向から力を受けて収縮し、更に貫通端４８０４を穿孔部４６０５に戻すような復元力を生み出す。
【００２８】
固定物体３２０４は固定回転軸５２に固定され、固定回転軸５２は固定回転軸５２の軸穴によって軸心４０の一部と挿接されており、固定回転軸５２は帯動回転軸４６の第二側面４６０４に近接している。ここで、固定回転軸５２の、帯動回転軸４６の第二側面４６０４に近接している側面は、環状スロット４４０２に対応して円形に設けられたガイドスロット５２０２を有し、ガイドスロット５２０２は第一端５２０２ａ及び第二端５２０２ｂを有し、第一端５２０２ａは前記第一の位置に対応して設けられている。ここで第一端５２０２ａは固定回転軸５２に対して比較的深く、第二端５２０２ｂは比較的浅くなっており、両者の間では第二端５２０２ｂから第一端５２０２ａに向かって連続的に徐々に深くなっている。
【００２９】
ここで、モータ４２が第一の力を供給して軸心４０を回転させる時、軸心４０は帯動回転軸４６を帯動して回転し、帯動ピン４８は帯動回転軸４６の回転を受けて回転方向に移動する。帯動ピン４８の膨張端４８０２は固定回転軸５２のガイドスロット５２０２の第一端５２０２ａから第二端５２０２ｂへ移動し、ガイドスロット５２０２の深度が異なることにより帯動ピン４８に軸心４０の延長方向に前記圧力を供給して、帯動ピン４８の貫通端４８０４を帯動回転軸４６の第一側面４６０２から突出させ、主回転軸４４の環状スロット４４０２内に進入させる。また、帯動回転軸４６の回転方向に移動する貫通端４８０４は主回転軸４４の定位板４４０４を帯動して主回転軸４４を回転させ、更に回転物体３２０２を帯動して固定物体３２０４に対して回転させる。
【００３０】
帯動ピン４８の膨張端４８０２が第一端５２０２ａに戻った時には、前記圧力は消失し、帯動ピン４８はバネ５０の復元力を受けて貫通端４８０４を穿孔部４６０５の内部に退行させる。帯動ピン４８が定位板４４０４から離れたため、回転物体３２０２は第一の位置で回転を停止する。かくして、モータ４２の回転が過剰であっても関連機構を損傷する恐れはない。
【００３１】
更に、図３を参照する。図３は本考案のリセット機構６０を示す図である。先に述べた回転制御装置３０と同様に、回転制御装置３０は更にリセット機構６０を有する。リセット機構６０は更に、リセットバー６００２と、バーホルダ６００４とを有する。バーホルダ６００４は便器本体に固定され、リセットバー６００２はバーホルダ６００４の穿孔部内で可動であり、リセットバー６００２の一端部はモータ４２に固定連結されている。
【００３２】
モータ４２は更に動力軸４２０２を有し、軸心４０の端部は動力軸穴４００２を有し、動力軸４２０２は動力軸穴４００２に進入して、モータ４２を軸心４０の前記端部に連結させる。動力伝達の目的を達成するために、実用上は多辺形の動力軸４２０２及びそれに対応する多辺形の動力軸穴４００２を密接に噛み合わせて用いることが可能である。
【００３３】
例えば停電の場合には、使用者がリセットバー６００２の反対側の端部を押すと、リセットバー６００２はモータ４２を軸心の延長方向に移動させ、併せて動力軸４２０２を動力軸穴４００２から離脱させる。かくして、先に述べた軸心４０、主回転軸４４、帯動回転軸４６及び固定回転軸５２等の各部がモータ４２の制限を離れ、外部からの力を自由に受けて回転する。
【００３４】
従って、本考案の水洗便器３２に用いる回転制御装置３０によれば、便座が回転制御装置３０の干渉を受けることなく、持ち上げられた状態から速やかに便器本体上にセットされる。停電の場合にも、便座を便器本体上で開閉することが可能である。また、モータ４２が過度に回転した場合にも、モータ４２が回転を阻まれることにより損傷することはなく、回転制御装置３０も過度の力を受けて損傷することはない。更に、本考案は簡易な構成で実現可能であるため、製造コストを抑えるとともに故障発生の可能性を減少させることができる。
【００３５】
以上に述べた好ましい実施の形態に関する詳細な説明は、本考案の特徴及び思想をより明確に記述しようとするものであり、上に開示した好ましい実施の形態により本考案の範囲を制限するものではなく、各種変更を含み、本考案の求める請求の範囲に適切に含み入れることを意図するものである。
【図面の簡単な説明】
【００３６】
【図１】従来の技術であるモータを備えた水洗便器を示す図
【図２】本考案の回転制御装置を示す図
【図３】本考案のリセット機構を示す図
【符号の説明】
【００３７】
４  便座
６  便器本体
８  回転軸
１２、４２  モータ
３０  回転制御装置
２、３２  水洗便器
３２０２  回転物体
３２０４  固定物体
１０、４０  軸心
４４  主回転軸
４４０２  環状スロット
４４０４  定位板
４６  帯動回転軸
４６０２  第一側面
４６０４  第二側面
４６０５  穿孔部
４８  帯動ピン
４８０２  膨張端
４８０４  貫通端
５０  バネ
５２  固定回転軸
５２０２  ガイドスロット
５２０２ａ  第一端
５２０２ｂ  第二端
６０  リセット機構
６００２  リセットバー
６００４  バーホルダ
４２０２  動力軸
４００２  動力軸穴
【図１】
0003119203.tif 000003
【図２】
0003119203.tif 000004
【図３】
0003119203.tif 000005